(57)【要約】【課題】軸型圧管を利用して鋼より線の先端部を保持し、グラウンドアンカーが地震等の外力要因によって動いても、軸型圧管がしっかりとその先端部を保持して離脱することがなく、グラウンドアンカーが斜面に対する保護作用を維持することができる、斜面グラウンドアンカーのアンカーヘッド保護構造の提供。【解決手段】斜面を安定させるグラウンドアンカー２を含み、グラウンドアンカー２の外側端部にアンカーヘッド４が設置され、アンカーヘッド４に形成した嵌合孔部４２内にグラウンドアンカーの鋼より線の端部２１をしっかりと固定できる軸型圧管５が設置され、鋼より線が緩んで離脱することがなく、且つアンカーヘッド４の外周に調節可能なアンカーリング７が設置され、アンカーヘッド４の内部に局部的に密閉と腐蝕防止機能を備えたのＰＵ発泡剤８１を充填する。【選択図】図１
0003169300.tif 000002
【実用新案登録請求の範囲】
【請求項１】
斜面グラウンドアンカーのアンカーヘッド保護構造であって、
斜面に埋め込まれるグラウンドアンカーを含み、
前記グラウンドアンカーの外側端部に設置されると共に、前記グラウンドアンカーの鋼より線を挿通させるための穿孔を備えたアンカーヘッドと、
前記穿孔の一端に、前記穿孔よりも直径が大きく形成された嵌合孔部と、
前記嵌合孔部内に設置された軸型圧管と、
前記軸型圧管の内部に設置された歯形管と、を備え、
前記軸型圧管は、内部に軸方向に貫通した通孔の内壁に形成された歯形を備え、
前記軸型圧管の内壁の前記歯形と前記歯形管とが噛合可能であり、
前記歯形管内に前記鋼より線の端部が挿通されると共に前記歯形管の内周面の歯形に前記端部が噛合され、前記軸型圧管の内壁の前記歯形に前記歯形管の外周面の歯形が噛合され、前記アンカーヘッドの前記嵌合孔部に前記軸型圧管が嵌合配置されて固定された、
ことを特徴とする、斜面グラウンドアンカーのアンカーヘッド保護構造。
【請求項２】
前記アンカーヘッドは、前記アンカーヘッドの外部に対して調節可能であり、
前記アンカーヘッドの外部空間が外蓋によって被覆され、さらに前記外蓋の中に湿気防止と防錆特性を備えたＰＵ発泡剤が充填されている、
ことを特徴とする請求項１に記載の斜面グラウンドアンカーのアンカーヘッド保護構造。
【考案の詳細な説明】
【技術分野】
【０００１】
本考案は、斜面グラウンドアンカーのアンカーヘッド保護構造に関する。
【背景技術】
【０００２】
図３は従来の斜面施工の断面図であり、図４は図３のＡ部分の拡大図である。従来の斜面の施工法は、図３に示すように、斜面１００の外側表面をまず擁壁２００で被覆した後、斜面深くまで掘られた孔部２０１が形成され、グラウト成型工法を利用してグラウンドアンカー３００を斜面内に埋め込み、斜面１００及び擁壁２００と強力な結合作用を構成して斜面の保護が完了する。
【０００３】
図４に示すように、擁壁２００の端部にアンカーヘッド４００が設置され、アンカーヘッド４００に穿孔４０１が設けられ、穿孔４０１の一端が斜孔部４０２であり、グラウンドアンカー３００の鋼より線の先端が穿孔４０１に挿通された後、楔形固定片４０３で挟んで該斜孔部４０２に固定される。
【考案の概要】
【考案が解決しようとする課題】
【０００４】
しかしながら、斜錐面を有する楔形固定片４０３を利用してグラウンドアンカー３００の鋼より線の先端を固定する方法は、グラウンドアンカー３００を迅速に埋設して位置決めすることができるものの、地震の頻度の増加や付近の土層開発の影響、或いは腐蝕防止効果が優れない場合、グラウンドアンカー３００のゆるみが生じやすく、一旦グラウンドアンカー３００にゆるみが生じると、楔形固定片４０３がアンカーヘッドの斜孔部４０２から離脱し、鋼より線に対する固定作用が失われ、グラウンドアンカー３００び斜面に対する保護作用が失われてしまう。
【０００５】
そこで、本考案は、これに鑑みてなされたもので、その目的は、軸型圧管を利用して鋼より線の先端部を保持し、グラウンドアンカーが地震等の外力要因によって動いても、軸型圧管がしっかりとその先端部を保持して離脱することがなく、グラウンドアンカーが斜面に対する保護作用を維持することができる、斜面グラウンドアンカーのアンカーヘッド保護構造を提供することにある。
【課題を解決するための手段】
【０００６】
請求項１に係る斜面グラウンドアンカーのアンカーヘッド保護構造は、斜面に埋め込まれるグラウンドアンカーを含み、前記グラウンドアンカーの外側端部に設置されると共に、前記グラウンドアンカーの鋼より線を挿通させるための穿孔を備えたアンカーヘッドと、前記穿孔の一端に、前記穿孔よりも直径が大きく形成された嵌合孔部と、前記嵌合孔部内に設置された軸型圧管と、前記軸型圧管の内部に設置された歯形管と、を備え、
前記軸型圧管は、内部に軸方向に貫通した通孔の内壁に形成された歯形を備え、
前記軸型圧管の内壁の前記歯形と前記歯形管とが噛合可能であり、
前記歯形管内に前記鋼より線の端部が挿通されると共に前記歯形管の内周面の歯形に前記端部が噛合され、前記軸型圧管の内壁の前記歯形に前記歯形管の外周面の歯形が噛合され、前記アンカーヘッドの前記嵌合孔部に前記軸型圧管が嵌合配置されて固定された、ことを特徴とし、これにより、前記グラウンドアンカーに緩みを生じることなく斜面に対する保護を構成させる。
【考案の効果】
【０００７】
本考案に係る斜面グラウンドアンカーのアンカーヘッド保護構造によれば、軸型圧管を利用して鋼より線の端部を保持し、グラウンドアンカーが地震等の外力要因によって動いても、軸型圧管がしっかりとその端部を保持して離脱することがなく、グラウンドアンカーが斜面に対する保護作用を維持することができる。
【０００８】
アンカーヘッドの外囲に調節可能なアンカーリングを設置し、アンカーヘッド内部とグラウンドアンカーの穿孔内に局部的に密閉と腐蝕防止機能を備えたＰＵ発泡剤を充填したので、全体を湿気による錆や腐蝕が生じないようにすることができる。
【図面の簡単な説明】
【０００９】
【図１】本考案の実施形態に係る斜面施工を示す断面図である。
【図２】軸型圧管および歯形管を示す断面図である。
【図３】従来の斜面施工の断面図である。
【図４】図３のＡ部分の拡大図である。
【考案を実施するための形態】
【００１０】
以下、本考案の実施の形態を図面を参照して説明する。図１は本考案の実施形態に係る斜面施工を示す断面図であり、図２は軸型圧管および歯形管を示す断面図である。本考案の斜面グラウンドアンカーのアンカーヘッド保護構造は、図１に示すように、斜面１の内部にグラウンドアンカー２が設置され、斜面に対して安全保護機能を構成する。
【００１１】
図１に示すように、グラウンドアンカー２の全体はグラウト工程で斜面１内部に埋め込まれた後、鋼より線の端部が斜面１の外側表面に設置された擁壁３に挿通される。擁壁３の外側表面にはアンカーヘッド４が設置される。アンカーヘッド４は調節可能なヘッドであり、その本体上に複数の穿孔４１が設けられ、穿孔４１の先端には穿孔４１よりも孔径が比較的大きい嵌合孔部４２が形成されている。
【００１２】
グラウンドアンカー２の鋼より線の端部２１を穿孔４１に挿通させた後、直管形の軸型圧管５を利用して鋼より線の端部２１をしっかりと保持し、且つ軸型圧管５をアンカーヘッド４の嵌合孔部４２内に嵌合配置して固定する。これにより、グラウンドアンカー２の鋼より線が安全にアンカーヘッド４によって固定され、グラウンドアンカー２に効果的に斜面に対する保護を維持させることができる。
【００１３】
アンカーヘッド４の嵌合孔部４２の内側に嵌合配置して固定することができる軸型圧管５は、図２に示すように、内部に軸方向に前後に貫通した通孔５１を備え、通孔５１の内壁に先端寄りから基端に亘って歯形５２が形成されている。
【００１４】
また、軸型圧管５の内壁に形成された歯形５２と噛合する歯形が外周面と内周面の全域に亘って形成されている歯形管６が設けられ、歯形管６の外周面が軸型圧管５の内壁の歯形５２と噛み合わされ、且つグラウンドアンカー２の鋼より線を歯形管６に挿通させると共に、鋼より線を内周面の歯形に噛合させる。これによりグラウンドアンカー２の鋼より線が軸型圧管５によりしっかりと固定され、緩みのない構造を構成することができる。
【００１５】
実施時は、図１と図２に示すように、グラウンドアンカー２の鋼より線の端部が軸型圧管５によりしっかりアンカーヘッド４に固定された後、アンカーヘッド４の外部を調節可能なアンカーリング７で調整して固定し、最後に外蓋８を被せて覆い、さらに、湿気防止、防錆、腐蝕防止の特性を備えたＰＵ発泡剤８１を外蓋８の内部に充填し、全体を湿気による錆や腐蝕が生じないようにすることができる。
【００１６】
本考案の斜面グラウンドアンカーのアンカーヘッド保護構造は、軸型圧管５が軸方向の管状であり、且つアンカーヘッド４の嵌合孔部４２内に設置され、グラウンドアンカー２が外力要因によって若干動いても、軸型圧管５がアンカーヘッド４の嵌合孔部４２を離脱する心配がなく、斜面基礎土層の安定性を確保することができる。
【符号の説明】
【００１７】
１  斜面
２  グラウンドアンカー
３  擁壁
４  アンカーヘッド
５  軸型圧管
６  歯形管
７  アンカーリング
８  外蓋
２１  端部
４１  穿孔
４２  嵌合孔部
５１  通孔
５２  歯形
８１  ＰＵ発泡剤
１００  斜面
２００  擁壁
２０１  孔部
３００  グラウンドアンカー
４００  アンカーヘッド
４０１  通孔
４０２  斜孔部
４０３  楔形固定片
【図１】
0003169300.tif 000003
【図２】
0003169300.tif 000004
【図３】
0003169300.tif 000005
【図４】
0003169300.tif 000006
【手続補正書】
【提出日】平成23年5月20日(2011.5.20)
【手続補正１】
【補正対象書類名】実用新案登録請求の範囲
【補正対象項目名】請求項２
【補正方法】変更
【補正の内容】
【請求項２】
前記アンカーヘッドの外部に調節可能なアンカーリングが設置され、
前記アンカーヘッドの外部空間が外蓋によって被覆され、さらに前記外蓋の中に湿気防止と防錆特性を備えたＰＵ発泡剤が充填されている、
ことを特徴とする請求項１に記載の斜面グラウンドアンカーのアンカーヘッド保護構造。